(57)【特許請求の範囲】
【請求項１】
トンネル掘削機の後方に設置され、該トンネル掘削機により掘削された掘削土をトンネル内において路床部への埋め戻し土として利用するべく該掘削土を改質処理するための処理装置であって、
トンネル掘削機の後方に配置されるとともに該トンネル掘削機の掘進に追従して前進可能な移動架台と、該移動架台上に搭載された処理装置本体と、前記トンネル掘削機から坑口に向けて搬送される掘削土の一部を分配して前記処理装置本体に供給する掘削土分配機構とを具備し、
前記処理装置本体は、
前記掘削土分配機構から供給される全体の一部の掘削土を受け取るホッパーと、
該ホッパーから供給される掘削土と生石灰供給機構から供給される生石灰とを移送しながら攪拌混合して１次改質土を調製する１次攪拌混合機構と、
前記１次攪拌混合機構から供給される１次改質土と固化材供給機構から供給される固化材とを攪拌混合して２次改質土を調製するとともに、該２次改質土を埋め戻し土としてその直下の路床部に直接投入する２次攪拌混合機構とを備えてなることを特徴とするトンネル掘削土の処理装置。
【請求項２】
請求項１記載のトンネル掘削土の処理装置であって、
処理装置本体を搭載する移動架台をトンネルの両側壁部に設けたブラケット間に架設するとともに該ブラケット上に敷設した軌条により支持案内することによって、該移動架台をトンネル底部を跨ぐ状態でトンネル内を前進可能に設置するとともに、該移動架台の直下に埋め戻し土を路床施工機械によって敷き均し転圧して路床を施工するための作業空間を確保してなることを特徴とするトンネル掘削土の処理装置。
【発明の詳細な説明】
【技術分野】
【０００１】
本発明は、トンネル掘削に際して発生する掘削土を路床部への埋め戻し土として有効利用するべく、掘削土をトンネル内において改質処理するための処理装置に関する。
【背景技術】
【０００２】
シールド工法等のトンネル掘削工法においては、切羽で発生する多量の掘削土をトンネル内において有効利用するべく、掘削土をトンネル内において改質処理して裏込材や路床部への埋め戻し土として利用することが提案されている。
たとえば、特許文献１には泥水シールド機からの排泥を細粒分と粗粒分とに分別処理して注入材料や締め固め材料としてリサイクルするための方法と装置についての開示があり、特許文献２には掘削土として排出される泥土と固化材との混合攪拌物を路床部に埋め戻す工法についての開示があり、特許文献３には同じく掘削泥土に固化剤を添加して路床部に埋め戻して路床を形成する工法についての開示がある。
【特許文献１】特許第２５２７２８９号公報
【特許文献２】特開２００５−１３９８４０号公報
【特許文献３】特開２００７−１６２４０３号公報
【発明の開示】
【発明が解決しようとする課題】
【０００３】
しかし、現時点では掘削土をトンネル内において効率的に改質処理して効率的な埋め戻し作業を実施するための有効適切な工法は確立されていない。上記の各先行文献にも掘削土を有効利用するための方法と装置についての概念的な記載があるのみでそれを実施するための具体的な処理工程やそのための装置構成については必ずしも充分に記載されておらず、いずれも普及するに至っていない。
【０００４】
上記事情に鑑み、本発明はトンネル掘削土の有効利用を可能とするべく、掘削土をトンネル内において効率的に改質処理するための有効適切な処理装置を提供することを目的としている。
【課題を解決するための手段】
【０００５】
上記目的を達成するため、請求項１記載の発明は、トンネル掘削機の後方に設置され、該トンネル掘削機により掘削された掘削土をトンネル内において路床部への埋め戻し土として利用するべく該掘削土を改質処理するための処理装置であって、トンネル掘削機の後方に配置されるとともに該トンネル掘削機の掘進に追従して前進可能な移動架台と、該移動架台上に搭載された処理装置本体と、前記トンネル掘削機から坑口に向けて搬送される掘削土の一部を分配して前記処理装置本体に供給する掘削土分配機構とを具備し、前記処理装置本体は、前記掘削土分配機構から供給される全体の一部の掘削土を受け取るホッパーと、該ホッパーから供給される掘削土と生石灰供給機構から供給される生石灰とを移送しながら攪拌混合して１次改質土を調製する１次攪拌混合機構と、前記１次攪拌混合機構から供給される１次改質土と固化材供給機構から供給される固化材とを攪拌混合して２次改質土を調製するとともに、該２次改質土を埋め戻し土としてその直下の路床部に投入する２次攪拌混合機構とを備えてなることを特徴とする。
【０００６】
請求項２記載の発明は、請求項１記載の発明の掘削土の処理装置において、処理装置本体を搭載する移動架台をトンネルの両側壁部に設けたブラケット間に架設するとともに該ブラケット上に敷設した軌条により支持案内することによって、該移動架台をトンネル底部を跨ぐ状態でトンネル内を前進可能に設置するとともに、該移動架台の直下に埋め戻し土を路床施工機械によって敷き均し転圧して路床を施工するための作業空間を確保してなることを特徴とする。
【発明の効果】
【０００７】
本発明によれば、掘削土に対して生石灰を添加して攪拌混合することによる１次改質と、さらに高炉セメント等を固化材として添加して攪拌混合することによる２次改質とを前後２段階に分けて行うことにより、１次改質で掘削土の含水率を有効に低下させ、かつ掘削土を充分に団粒化させることで２次攪拌効果を高めることができ、したがって埋め戻し土として有効利用するに充分な良質の改質土を効率的に調製することができる。
また、処理装置本体を搭載している移動架台のトンネル底部を跨ぐ状態で設置してその下方に作業空間を確保しておき、２次攪拌混合により調製した２次改質土をそのままその直下の路床部に投入する構成とすることにより、処理装置全体を簡略かつコンパクトに構成できるとともに、改質土の投入とそれによる埋め戻し作業を効率的に実施できて早期に供用を開始でき、掘削土の有効利用による資材削減と排土量削減とも相まって路床部の施工に関わる作業の工費削減と工期短縮に大きく寄与することができる。
【発明を実施するための最良の形態】
【０００８】
図１〜図５を参照して本発明の一実施形態を説明する。
図１は道路トンネルの施工に際してトンネル掘削機１の後方に本実施形態の処理装置１０を設置し、トンネル掘削機１から坑口に向かって搬送される掘削土の一部をこの処理装置１０に分配供給してそこで改質処理し、その改質土を路床部への埋め戻し土として有効利用して盛土による路床２を施工している状況を示す概要図である。
【０００９】
図示例のトンネル掘削機１は泥土圧シールド工法によるシールド掘削機であって、それによる掘削土は泥土の状態で１次スクリュウコンベア３ａ、２次スクリュウコンベア３ｂ、３次スクリュウコンベア３ｃ、ベルトコンベア３ｄにより構成される一連の排土手段３により坑口側へ搬送されて排土されるようになっている。
なお、処理装置１０によって改質処理するべき掘削土量（すなわち、トンネル内において有効利用するべき掘削土量）は路床２の造成に必要な土量相当分とすれば良いが、たとえば掘削土の全量の15%程度として85%は通常のように排土すれば良い。
【００１０】
本実施形態の処理装置１０は、トンネル掘削機１の掘進に追従して前進可能な移動架台１１上に処理装置本体１２を搭載した構成とされ、その全体がトンネル掘削機１および排土手段３と同期して前進しながら、上記の３次スクリュウコンベア３ｃに組み込まれている掘削土分配供給機構１３から分配供給される掘削土を処理装置本体１２により改質処理して、それを埋め戻し土として路床部に直接投入するように構成されている。
【００１１】
移動架台１１は、図２〜図４に示すようにトンネルの両側壁部に設けられたブラケット４間に架設されているとともに、ブラケット４上に敷設された軌条５により支持案内されてトンネル底部を跨ぐ状態で前進可能に設置され、施工進捗に応じてトンネル掘削機１の掘進に追従してジャッキ等の駆動手段によって前進するように構成されている。ブラケット４や軌条５としてはＨ形鋼を使用し、それを施工済みのセグメントに対して固定すれば良い。
移動架台１１の下方には、本実施形態の処理装置１０から路床部に投入される埋め戻し土をブルドーザや振動ローラ等の適宜の路床施工機械６を用いて敷き均し、転圧することによって路床２を施工するために必要とされる充分な作業空間が確保されている。
【００１２】
処理装置本体１２は、図３に示すように移動架台１１上の一方の側部（図３では右側部）に搭載されていて、その上部には上記の３次スクリュウコンベア３ｃが配置され、その３次スクリュウコンベア３ｃには処理装置本体１２に対して掘削土の一部を分配供給するための掘削土分配供給機構１３が組み込まれている。掘削土分配供給機構１３としては、たとえば図５に示すように油圧シリンダ１３ａにより開閉可能なゲート１３ｂによるものが好適に採用可能である。
なお、本実施形態では図１に示すように２台の移動架台１１ａ、１１ｂを連結した構成とされていて、処理装置本体１２の構成要素のうちの固化材サイロ１７（後述）を後側の移動架台１１ｂに搭載して他は前側の移動架台１１ａに搭載しているが、処理装置本体１２の全体を１台の移動架台１１に搭載可能であればそのようにしても良い。
いずれにしても、図３に示すように移動架台１１上の中央部および他方の側部にはトンネル掘削機１に付設される各種の機器類の設置スペースや作業スペースあるいは作業通路として任意に利用可能とされ、また図１に示すように処理装置本体１２を搭載している移動架台１１の前後にはトンネル掘削に関わる各種装置類を搭載するための他の移動架台７が適宜連結可能とされ、処理装置１０を設置するがためにトンネル施工に関わる他の作業に支障をきたすことはない。
【００１３】
処理装置本体１２は、図５にその処理フローとともに概略構成を示すように、ホッパー１４と、生石灰供給機構としての生石灰サイロ１５と、１次攪拌混合機構としての２軸連続混合機１６と、固化材供給機構としての固化材サイロ１７と、２次攪拌混合機構としての２軸強制ミキサー１８とを備えた構成とされ、上述したようにそれらのうち固化材サイロ１７が後側の移動架台１１ｂに搭載されている以外は前部側の移動架台１１ａに搭載されているものである。
【００１４】
この処理装置本体１２では、３次スクリュウコンベア３ｃから掘削土分配供給機構１３によりホッパー１４に供給された掘削土と、生石灰サイロ１５に貯留されていた生石灰とがそれぞれ２軸連続混合機１６（１次攪拌混合機構）に連続的に供給されることで分散して均一に添加供給されて、そこで後方に搬送されながら攪拌混合されてまず１次改質土が調製されるようになっている。
次いで、１次改質土はベルトコンベア１９により２軸強制ミキサー１８（２次攪拌混合機構）に送られるとともにそこには固化材サイロ１７から固化材としての高炉セメントが供給され、２軸強制ミキサー１８において１次改質土と固化材とがさらに攪拌混合されて２次改質土が調製され、その２次改質土は図３〜図４に示すように２軸強制ミキサー１８から移動架台１１の下方に直接投入されて路床部への埋め戻し土とされ、そこで路床施工機械６により敷き均され転圧されることによって盛土による路床２が施工されるようになっている。
【００１５】
なお、本実施形態の処理装置１０による場合、掘削土に対する生石灰および固化材（高炉セメント）の添加量は、改質対象の掘削土の土質や要求される改質程度に応じて適宜設定すれば良いが、一例を挙げれば、掘削土の粒度構成が礫質12%、砂分49%、シルト分24%、粘土分15%、含水比27%の場合において、それを路床用の埋め戻し土として利用するべく設計強度0.33N/mm2の改質土に調製するためには、生石灰量と高炉セメント量の配合比を３：７としたうえでそれらの総量を掘削土１m3につき50kg（つまり生石灰15kg、高炉セメント35kg）とすることが好適である。
勿論、掘削土に対する生石灰量と固化材量の配合量や配合比は掘削土の土質や設計強度に応じて適宜増減すれば良く、一般的には掘削土が砂質土系の場合にはセメント量を多くし、粘土質系では生石灰量を多くすることが有効とされているので、事前に掘削土の土質を調査するとともに必要に応じて予備試験等を実施することにより最適な配合量と配合比を決定すれば良い。また、２次改質土を調製するための固化材としては上記のように高炉セメントが好適に採用可能であるが、それに限るものでもなく最適なものを選択して採用すれば良い。
【００１６】
本実施形態の処理装置１０によれば、掘削土に対して生石灰を添加して攪拌混合することによる１次改質と、さらに高炉セメント等の固化材を添加して攪拌混合することによる２次改質とを前後２段階に分けて行うことにより、掘削土に対して有効かつ効率的な改質処理が可能である。
【００１７】
すなわち、前段の１次改質においては２軸連続混合機１６により掘削土と生石灰とを後方へ移送しながら連続的に攪拌混合するので、その移送の間に掘削土と生石灰とが効果的にかつ均質に攪拌混合されてそれらの水和反応（吸水反応や発熱反応、吸着反応）によって掘削土全体の含水率を有効に低下させることができるとともに充分に団粒化させることができ、それにより１次改質土の締め固め度を向上させ得るとともに、粘性土の粘着力を低下させることができ、したがって１次攪拌混合時および後段の２次攪拌混合時の双方において機器への掘削土の付着を防止できて優れた攪拌効率を確保することができる。
【００１８】
また、上記のような２軸連続混合機１６による１次改質のみでは早期の強度発現や長期間にわたる強度維持が必ずしも充分ではないので、１次改質に引き続いて高炉セメント等を固化材として２軸強制ミキサー１８による２次攪拌混合による２次改質を行うことにより、最終的な２次改質土の強度が早期に発現し、かつその強度を長期間にわたって安定に確保することが可能となり、以上により掘削土からの改質土を路床２を施工するための埋め戻し土として有効利用することが可能となる。
【００１９】
なお、本実施形態のように１次改質と２次改質とに分けることなく、掘削土に対して生石灰と固化材とを同時に添加して１度で攪拌混合することも考えられようが、その場合には必ずしも均質な攪拌混合効果は期待できず、また特に高含水の粘性土では改質土が混合機構や搬送機構に多量に付着してしまうことも不可避であって効率的な攪拌混合を行い得ず、したがって掘削土に対して生石灰と固化材とを同時に混合して１度で攪拌混合するようなことは現実的ではない。換言すると、１次改質と２次改質とに２段階に分けて行うことによって初めて改質品質の確保と改質工程の効率化を併せて実現できるのであり、その結果、掘削土の高度有効利用が可能となったといえる。
【００２０】
さらに、本実施形態の処理装置１０では、２次攪拌混合により調製した２次改質土をそのままその直下の路床部に投入するので、処理装置１０の後段には改質土をさらに搬送するための格別の搬送手段は不要であり、したがって本実施形態の処理装置１０は改質工程を２段に分けて行うにもかかわらず全体の構成は充分に合理的であって簡略かつコンパクトであり、設備費および運転費の軽減を図ることができる。なお、上記実施形態では２軸連続混合機１６からの１次改質土をベルトコンベア１９により２軸強制ミキサー１８に移送するようにしたが、そのベルトコンベア１９も省略して１次改質土を２軸連続混合機１６から２軸強制ミキサー１８に直接供給することも可能であり、そのようにすれば処理装置１０全体の構成をさらに簡略化することができる。
それから、本実施形態では２軸連続混合機１６による１次改質土は後方に搬送しているが、搬送方向はこれに限られるものではなく、現場状況に合わせて適宜決めれば良い。
【００２１】
また、移動架台１１の下方空間には路床２としての盛土を造成するための作業空間が確保されているので、２次攪拌混合機構としての２軸強制ミキサー１８から路床部に直接投入された改質土の敷き均し工程や転圧工程は、直ちにブルドーザや振動ローラ等の汎用の路床施工機械６を用いて効率的に実施することができる。なお、それらのブルドーザや振動ローラによる路床部での作業は無線操縦等による遠隔操作により無人にて行うことも可能である。
そして、トンネル掘削機１の掘進に伴って処理装置１０を前進させていきつつ掘削土を連続的に改質して路床部に投入し、移動架台１１の下方において路床２を連続的に造成していくことにより、盛土による路床２を極めて効率的に施工できてその供用を早期に開始することができ、掘削土の有効利用による資材削減と排土量削減とも相まって路床２の施工に関わる工費削減と工期短縮に大きく寄与することができる。
【００２２】
以上で本発明の一実施形態を説明したが、上記実施形態はあくまで好適な一例であって本発明は上記実施形態に限定されるものではなく、１次攪拌混合機構や２次攪拌混合機構をはじめとして各部の具体的な構成や具体的な処理工程については、本発明の要旨を逸脱しない範囲内で適宜の設計的変更が可能であることは言うまでもない。
【図面の簡単な説明】
【００２３】
【図１】本発明の実施形態である処理装置をトンネル掘削機の後方に設置した状態を示す全体概略構成図である。
【図２】同、処理装置における移動架台の概略構成を示す斜視図である。
【図３】同、移動架台の概略構成を示す正面図である。
【図４】同、処理装置本体の概略構成を示す側面図である。
【図５】同、処理装置本体の概略構成とその処理フローを示す図である。
【符号の説明】
【００２４】
１  トンネル掘削機
２  路床
３  排土手段
３ａ  １次スクリュウコンベア
３ｂ  ２次スクリュウコンベア
３ｃ  ３次スクリュウコンベア
３ｄ  ベルトコンベア
４  ブラケット
５  軌条
６  路床施工機械
７  移動架台
１０  処理装置
１１（１１ａ、１１ｂ）  移動架台
１２  処理装置本体
１３  掘削土分配供給機構
１３ａ  油圧シリンダ
１３ｂ  ゲート
１４  ホッパー
１５  生石灰サイロ（生石灰供給機構）
１６  ２軸連続混合機（１次攪拌混合機構）
１７  固化材サイロ（固化材供給機構）
１８  ２軸強制ミキサー（２次攪拌混合機構）
１９  ベルトコンベア
【図１】
0005158628.tif 000002
【図２】
0005158628.tif 000003
【図３】
0005158628.tif 000004
【図４】
0005158628.tif 000005
【図５】
0005158628.tif 000006